(57)【要約】  フロー容量を等化する方法、装置、及びシステムが提供され、方法は、中継ノードが、送信元ノードから伝送された、トラフィックフローのリンク構築要求を受信し（Ｓ５０１）、中継ノードが、サービスフローのリンク構築要求に従って、送信元ノードと宛先ノードとの間の各ベアラネットワークのリンク負荷情報を取得し、小さな負荷を有するベアラネットワークを選択して、トラフィックフローのための転送リンクを構築し（Ｓ５０２）、中継ノードが、転送リンクに従って、トラフィックフローを転送すること（Ｓ５０３）を含む。本発明は、転送データフロー容量を等化することを可能にし、ベアラネットワークの運送効率（ｂｅａｒｉｎｇ  ｅｆｆｉｃｉｅｎｃｙ）及び伝送効率を向上させ、従って、購入及び保守コストの節約をもたらす。
2011521525.tif 000002
【特許請求の範囲】
【請求項１】
送信元ノードから送信された、サービスフローのリンク設定要求を、中継ノードによって受信し、
前記中継ノードによって、前記サービスフローの前記リンク設定要求に従って、前記送信元ノードと宛先ノードとの間の各ベアラネットワークのリンク負荷情報を取得し、より小さなリンク負荷を有するベアラネットワークを選択して、前記サービスフローのための転送リンクを設定し、
前記中継ノードによって、前記転送リンクに従って、前記サービスフローを転送すること
を含む、フローを等化する方法。
【請求項２】
より小さなリンク負荷を有する前記ベアラネットワークを選択して、前記サービスフローのための前記転送リンクを設定した後に、
前記中継ノードによって、リンク設定成功メッセージを前記送信元ノードに通知すること
を更に含む、請求項１に記載の方法。
【請求項３】
前記中継ノードが、より小さなリンク負荷を有する前記ベアラネットワークを選択して、前記サービスフローのための前記転送リンクを設定した後に、
前記中継ノードによって、前記サービスフローの転送リンク情報を、ローカル転送テーブル内に記憶し、
前記中継ノードによって、前記ローカル転送テーブル内の前記転送リンク情報に従って、前記サービスフローを転送すること
を更に含む、請求項１に記載の方法。
【請求項４】
前記中継ノードによって、前記サービスフローのリンクティアダウン要求を受信し、
前記中継ノードによって、前記リンクティアダウン要求に従って、前記ローカル転送テーブル内の、前記サービスフローの前記転送リンク情報を削除し、
前記中継ノードによって、前記ローカル転送テーブルを更新すること
を更に含む、請求項３に記載の方法。
【請求項５】
前記送信元ノードは、非同期転送モード（ＡＴＭ）基地局であり、前記中継ノードは、非同期転送モード／インターネットプロトコル（ＡＴＭ／ＩＰ）デュアルスタックハブであり、前記宛先ノードは、ＡＴＭ／ＩＰデュアルスタック基地局コントローラであり、前記中継ノードによって、前記ローカル転送テーブル内の前記転送リンク情報に従って、前記サービスフローを転送するステップは、
前記ＡＴＭ基地局から送信されたＡＴＭセルを受信し、
前記ＡＴＭセルのヘッダ情報に従って、前記ローカル転送テーブルを検索し、前記ＡＴＭセルの転送リンク情報を取得し、そして、
前記ＡＴＭセルがＩＰネットワークを介して伝送されることを、前記転送リンク情報が示す場合、前記ＡＴＭセルをＩＰパケット内にカプセル化し、前記カプセル化されたＩＰパケットを前記ＡＴＭ／ＩＰデュアルスタック基地局コントローラに転送すること、又は、
前記ＡＴＭセルがＡＴＭネットワークを介して伝送されることを、前記転送リンク情報が示す場合、前記ＡＴＭセルを前記ＡＴＭ／ＩＰデュアルスタック基地局コントローラに転送すること
を含む、請求項３に記載の方法。
【請求項６】
前記送信元ノードは、非同期転送モード／インターネットプロトコル（ＡＴＭ／ＩＰ）デュアルスタック基地局コントローラであり、前記中継ノードは、ＡＴＭ／ＩＰデュアルスタックハブであり、前記宛先ノードは、ＡＴＭ基地局であり、前記ＡＴＭ／ＩＰデュアルスタックハブと前記ＡＴＭ／ＩＰデュアルスタック基地局コントローラとの間の、前記転送リンクの前記ベアラネットワークは、ＡＴＭネットワークであり、前記中継ノードによって、前記ローカル転送テーブル内の前記転送リンク情報に従って、前記サービスフローを転送するステップは、
前記ＡＴＭ／ＩＰデュアルスタック基地局コントローラから送信されたＡＴＭセルを受信し、
前記ＡＴＭセルのヘッダ情報に従って、前記ローカル転送テーブルを検索し、前記ＡＴＭセルの転送リンク情報を取得し、
前記転送リンク情報に従って、前記ＡＴＭセルを前記ＡＴＭ基地局に転送すること
を含む、請求項３に記載の方法。
【請求項７】
前記送信元ノードは、非同期転送モード／インターネットプロトコル（ＡＴＭ／ＩＰ）デュアルスタック基地局コントローラであり、前記中継ノードは、ＡＴＭ／ＩＰデュアルスタックハブであり、前記宛先ノードは、ＩＰ基地局であり、前記ＡＴＭ／ＩＰデュアルスタックハブと前記ＡＴＭ／ＩＰデュアルスタック基地局コントローラとの間の、前記転送リンクの前記ベアラネットワークは、ＡＴＭネットワークであり、前記中継ノードによって、前記ローカル転送テーブル内の前記転送リンク情報に従って、前記サービスフローを転送するステップは、
前記ＡＴＭ／ＩＰデュアルスタック基地局コントローラから送信されたＡＴＭセルを受信し、
前記ＡＴＭセルのヘッダ情報に従って、前記ローカル転送テーブルを検索し、前記ＡＴＭセルの転送リンク情報を取得し、
前記転送リンク情報に従って、前記ＡＴＭセルをＩＰパケット内にカプセル化し、前記カプセル化されたＩＰパケットを前記ＩＰ基地局に転送すること
を含む、請求項３に記載の方法。
【請求項８】
前記ＡＴＭセルを前記ＩＰパケット内にカプセル化するステップは、
前記ＡＴＭセルのＡＴＭアダプテーションレイヤ２（ＡＡＬ２）プロトコルを終端させ、前記ＡＴＭセルのセルペイロードを前記ＩＰパケット内にカプセル化すること
を含む、請求項５又は７に記載の方法。
【請求項９】
前記送信元ノードは、インターネットプロトコル（ＩＰ）基地局であり、前記中継ノードは、非同期転送モード／インターネットプロトコル（ＡＴＭ／ＩＰ）デュアルスタックハブであり、前記宛先ノードは、ＡＴＭ／ＩＰデュアルスタック基地局コントローラであり、前記中継ノードによって、前記ローカル転送テーブル内の前記転送リンク情報に従って、前記サービスフローを転送するステップは、
前記ＩＰ基地局から送信されたＩＰパケットを受信し、
前記ＩＰパケットのヘッダ情報に従って、前記ローカル転送テーブルを検索し、前記ＩＰパケットの転送リンク情報を取得し、そして、
前記ＩＰパケットがＡＴＭネットワークを介して伝送されることを、前記転送リンク情報が示す場合、前記ＩＰパケットをＡＴＭセル内にカプセル化し、前記ＡＴＭセルを前記ＡＴＭ／ＩＰデュアルスタック基地局コントローラに転送すること、又は、
前記ＩＰパケットがＩＰネットワークを介して伝送されることを、前記転送リンク情報が示す場合、前記ＩＰパケットを前記ＡＴＭ／ＩＰデュアルスタック基地局コントローラに転送すること
を含む、請求項３に記載の方法。
【請求項１０】
前記送信元ノードは、非同期転送モード／インターネットプロトコル（ＡＴＭ／ＩＰ）デュアルスタック基地局コントローラであり、前記中継ノードは、ＡＴＭ／ＩＰデュアルスタックハブであり、前記宛先ノードは、ＡＴＭ基地局であり、前記ＡＴＭ／ＩＰデュアルスタックハブと前記ＡＴＭ／ＩＰデュアルスタック基地局コントローラとの間の、前記転送リンクの前記ベアラネットワークは、ＩＰネットワークであり、前記中継ノードによって、前記ローカル転送テーブル内の前記転送リンク情報に従って、前記サービスフローを転送するステップは、
前記ＡＴＭ／ＩＰデュアルスタック基地局コントローラから送信されたＩＰパケットを受信し、
前記ＩＰパケットのヘッダ情報に従って、前記ローカル転送テーブルを検索し、前記ＩＰパケットの転送リンク情報を取得し、
前記転送リンク情報に従って、前記ＩＰパケットをＡＴＭセル内にカプセル化し、前記ＡＴＭセルを前記ＡＴＭ基地局に転送すること
を含む、請求項３に記載の方法。
【請求項１１】
前記送信元ノードは、非同期転送モード／インターネットプロトコル（ＡＴＭ／ＩＰ）デュアルスタック基地局コントローラであり、前記中継ノードは、ＡＴＭ／ＩＰデュアルスタックハブであり、前記宛先ノードは、ＩＰ基地局であり、前記ＡＴＭ／ＩＰデュアルスタックハブと前記ＡＴＭ／ＩＰデュアルスタック基地局コントローラとの間の、前記転送リンクの前記ベアラネットワークは、ＩＰネットワークであり、前記中継ノードによって、前記ローカル転送テーブル内の前記転送リンク情報に従って、前記サービスフローを転送するステップは、
前記ＡＴＭ／ＩＰデュアルスタック基地局コントローラから送信されたＩＰパケットを受信し、
前記ＩＰパケットのヘッダ情報に従って、前記ローカル転送テーブルを検索し、前記ＩＰパケットの転送リンク情報を取得し、
前記転送リンク情報に従って、前記ＩＰパケットを前記ＩＰ基地局に転送すること
を含む、請求項３に記載の方法。
【請求項１２】
前記ＩＰパケットを前記ＡＴＭセル内にカプセル化するステップは、
前記ＩＰパケットのユーザデータグラムプロトコル（ＵＤＰ）を終端させ、前記ＩＰパケットのパケットペイロードを前記ＡＴＭセル内にカプセル化すること
を含む、請求項９又は１０に記載の方法。
【請求項１３】
送信元ノードから送信された、サービスフローのリンク設定要求を受信するように構成された、シグナリング受信モジュールと、
前記サービスフローの前記リンク設定要求に従って、前記送信元ノードと宛先ノードとの間の各ベアラネットワークのリンク負荷情報を取得するように構成された、取得モジュールと、
前記ベアラネットワークの前記リンク負荷情報に従って、より小さなリンク負荷を有するベアラネットワークを選択して、サービスフローのための転送リンクを設定するように構成された、リンク選択モジュールと
を備える、フローを等化する装置。
【請求項１４】
前記サービスフローの転送リンク情報を、ローカル転送テーブル内に記憶するように構成された、記憶モジュール
を更に備える、請求項１３に記載の装置。
【請求項１５】
リンク設定成功メッセージを前記送信元ノードに通知するように構成された、シグナリング送信モジュール
を更に備える、請求項１４に記載の装置。
【請求項１６】
前記送信元ノードから送信された非同期転送モード（ＡＴＭ）セルを受信するように構成された、セル受信モジュールと、
前記ＡＴＭセル内のヘッダ情報に従って、ローカル転送テーブル内のセル転送テーブルを検索し、前記ＡＴＭセルの転送リンク情報を取得するように構成された、セル検索モジュールと、
前記ＡＴＭセルをインターネットプロトコル（ＩＰ）パケット内にカプセル化するように構成された、第１のプロトコル変換モジュールと、
前記ＩＰパケットに経路を割り当てるように構成された、ルーティングモジュールと、
前記ＩＰパケットを送信するように構成された、パケット送信モジュールと
を更に備える、請求項１３に記載の装置。
【請求項１７】
前記送信元ノードから送信されたインターネットプロトコル（ＩＰ）を受信するように構成された、パケット受信モジュールと、
前記ＩＰパケットのヘッダ情報に従って、ローカル転送テーブル内のパケット転送テーブルを検索し、前記ＩＰパケットの転送リンク情報を取得するように構成された、パケット検索モジュールと、
前記ＩＰパケットを非同期転送モード（ＡＴＭ）セル内にカプセル化するように構成された、第２のプロトコル変換モジュールと、
前記ＡＴＭセルを集約するように構成された、集約モジュールと、
前記ＡＴＭセルを送信するように構成された、セル送信モジュールと
を更に備える、請求項１３に記載の装置。
【請求項１８】
送信元ノードと、中継ノードと、宛先ノードとを備え、
前記送信元ノードは、サービスフローと、前記サービスフローの前記サービスフローのリンク設定要求とを送信するように構成され、
前記中継ノードは、前記送信元ノードから送信された、前記サービスフローの前記リンク設定要求を受信し、前記サービスフローの前記リンク設定要求に従って、前記送信元ノードと前記宛先ノードとの間の各ベアラネットワークのリンク負荷情報を取得し、より小さなリンク負荷を有するベアラネットワークを選択して、前記サービスフローのための転送リンクを設定し、前記転送リンクに従って、前記サービスフローを転送するように構成され、
前記宛先ノードは、前記中継ノードによって転送された前記サービスフローを受信するように構成された、フローを等化するシステム。
【請求項１９】
非同期転送モード（ＡＴＭ）セルのヘッダ情報に従って、ローカル転送テーブルを検索し、前記ＡＴＭセルの転送リンク情報を取得し、そして、
前記ＡＴＭセルがインターネットプロトコル（ＩＰ）ネットワークを介して伝送されることを、前記転送リンク情報が示す場合、前記ＡＴＭセルをＩＰパケット内にカプセル化し、前記ＩＰパケットをＡＴＭ／ＩＰデュアルスタック基地局コントローラに転送すること、又は、
前記転送リンク情報に従って、前記ＡＴＭセルをＩＰパケット内にカプセル化し、前記ＩＰパケットをＩＰ基地局に転送すること
を含む、ＡＴＭプロトコルスタックをＩＰプロトコルスタックに変換する方法。
【請求項２０】
前記ＡＴＭセルを前記ＩＰパケット内にカプセル化するステップは、
前記ＡＴＭセルのＡＴＭアダプテーションレイヤ２（ＡＡＬ２）プロトコルを終端させ、前記ＡＴＭセルのセルペイロードを前記ＩＰパケット内にカプセル化すること
を含む、請求項１９に記載の方法。
【請求項２１】
インターネットプロトコル（ＩＰ）パケットのヘッダ情報に従って、ローカル転送テーブルを検索し、前記ＩＰパケットの転送リンク情報を取得し、そして、
前記ＩＰパケットが非同期転送モード（ＡＴＭ）ネットワークを介して伝送されることを、前記転送リンク情報が示す場合、前記ＩＰパケットをＡＴＭセル内にカプセル化し、前記ＡＴＭセルをＡＴＭ／ＩＰデュアルスタック基地局コントローラに転送すること、又は、
前記転送リンク情報に従って、前記ＩＰパケットをＡＴＭセル内にカプセル化し、前記ＡＴＭセルをＡＴＭ基地局に転送すること
を含む、ＩＰプロトコルスタックをＡＴＭプロトコルスタックに変換する方法。
【請求項２２】
前記ＩＰパケットを前記ＡＴＭセル内にカプセル化するステップは、
前記ＩＰパケットのユーザデータグラムプロトコル（ＵＤＰ）を終端させ、前記ＩＰパケットのパケットペイロードを前記ＡＴＭセル内にカプセル化すること
を含む、請求項２１に記載の方法。
【発明の詳細な説明】
【技術分野】
【０００１】
本出願は、２００８年４月２９日に中国専利局に出願された、「Ｍｅｔｈｏｄ，Ａｐｐａｒａｔｕｓ  ａｎｄ  Ｓｙｓｔｅｍ  ｆｏｒ  Ｅｑｕａｌｉｚｉｎｇ  Ｆｌｏｗｓ（フローを等化する方法、装置、及びシステム）」と題された、中国特許出願第２００８１００９４３９３．１号の優先権を主張するものであり、当該出願はその全体が参照によって本明細書中に援用される。
【０００２】
本発明は、通信技術に関し、特に、フローを等化する方法、装置、及びシステムに関する。
【背景技術】
【０００３】
第３世代（３Ｇ）無線アクセスネットワークは、通常、基地局と基地局コントローラとの間のデータ伝送のために、マイクロ波、又はメトロポリタンエリア光トランスポートネットワークを使用する。Ｖｏｄａｆｏｎｅ（ボーダフォン）及びＯｒａｎｇｅ（オレンジ）などの、この業界における主流の移動通信事業者は、主として、マイクロ波ネットワークを構築することによって、又は、固定ネットワーク事業者のトランスポートネットワークをリースすることによって、無線事業を行う。基地局は、リースされたメトロポリタンエリア光トランスポートネットワークに、マイクロ波を介してアクセスし、次に、基地局からのデータフローは、リースされたメトロポリタンエリア光トランスポートネットワーク内で集約され（ａｇｇｒｅｇａｔｅｄ）、集約されたデータフローは、高速リンクを介して、基地局コントローラに伝送される。このトラフィックモデルによれば、基地局はフローのピークに同時には到達しないため、パケット交換によって無線サービスデータを集約して帯域幅の多重化を実施するために、マイクロ波ネットワークの第１レベルのアクセスポイントにおいて、集約ノード（ａｇｇｒｅｇａｔｉｏｎ  ｎｏｄｅ）（トランスポートゲートウェイ）が追加される場合がある。従って、サービス集約ゲートウェイの使用により、基地局間でのフローの多重化効率を明らかに向上させることができ、マイクロ波装置を購入するコスト、又はメトロポリタンエリア光トランスポートネットワークをリースするコストが節約される。
【０００４】
現在のところ、無線データフローの集約機能をサポートする、２つの解決法が存在する。１つは、非同期転送モード（ＡＴＭ）スイッチング及びＡＴＭアダプテーションレイヤ２（ＡＡＬ２）スイッチングプロトコルを使用することによる、専用装置のＡＴＭスイッチ又はＡＴＭハブネットワーキングによって、フロー集約を実施し、それにより伝送効率を向上させることであり、もう１つは、ルータのインターネットプロトコル（ＩＰ）パケットルーティング機能を使用することによる、ＩＰハブネットワーキングによって、フロー集約を実施し、それにより伝送効率を向上させることである。
【発明の概要】
【発明が解決しようとする課題】
【０００５】
本発明に関連する従来技術の第１の解決法では、ＩＰオーバＡＴＭ（ＩＰｏＡ）プロトコルを使用することによって、ＡＴＭベアラネットワーク上でのＩＰデータフローの伝送を実施する。
【０００６】
ここで、標準的なＩＰｏＡプロトコルは、ＡＴＭベアラネットワーク上でのＩＰデータフローの伝送を実施すること、すなわち、ＡＴＭベアラネットワーク上での、ＩＰ基地局のデータフローの伝送をサポートすることが可能である。このネットワーキング方式を図１に示す。ＩＰ基地局は、ＩＰメトロポリタンエリアネットワーク（ＭＡＮ）のアクセスレイヤを介して、ＡＴＭスイッチ１にデータフローを伝送し、ＡＴＭスイッチ１は、ＡＴＭスイッチ１によって提供されるＩＰインタフェースへのデータフローを集約し、ＡＴＭスイッチ１は、受信されたＩＰパケットを、ＡＴＭネットワーク上での伝送のために、ＩＰｏＡプロトコルを使用することによって、セル内にカプセル化する（図１は、メトリポリタンエリアアクセスネットワークの集約レイヤを示す）。ＡＴＭスイッチ２は、セルを受信し、そして、セルを再び集めて、ＩＰｏＡペイロード、すなわちＩＰパケットを回復するために、ＡＴＭスイッチ１の逆のプロセスを完了する。
【０００７】
図２は、従来技術の第１の解決法における、プロトコルスタックベアラの変換を示す。図示されているように、ＡＴＭスイッチ１及び２は、実際には、ＡＴＭネットワーク上のトンネル、すなわち仮想チャネルを使用して、ＩＰパケットを運び、それにより、ＡＴＭベアラネットワーク上でのＩＰパケットの伝送を実施する。
【０００８】
発明者は、本発明を実現する間に、従来技術の第１の解決法における少なくとも以下の弱点を見出した。
【０００９】
１．２組の変換装置が必要とされ、これによりコストが増加する。
【００１０】
２．ＩＰｏＡプロトコルによれば、ＩＰパケットは、ＩＰｏＡカプセル化を受ける必要があり、テールが追加され、これによりベアラ効率が減少する。伝送中にカプセル化レイヤが追加され、従って、伝送効率が減少する。
【００１１】
本発明に関連する従来技術の第２の解決法は、疑似ワイヤ・エミュレーション・エッジ・ツー・エッジ（Ｐｓｅｕｄｏｗｉｒｅ  Ｅｍｕｌａｔｉｏｎ  Ｅｄｇｅ−ｔｏ−Ｅｄｇｅ）（ＰＷＥ３）技術を使用することによって、ＩＰベアラネットワーク上でのＡＴＭデータフローの伝送を実施する。
【００１２】
図３は、従来技術の第２の解決法のネットワーキング方式を示す。図示されているように、ＡＴＭ基地局は、ＡＴＭ  ＭＡＮのアクセスレイヤを介して、ＰＷＥ３装置１にデータフローを伝送する。アクセスＡＴＭネットワークは、Ｅ１／Ｔ１上での、ＡＴＭの逆多重化（ＩＭＡ）（Ｉｎｖｅｒｓｅ  Ｍｕｌｔｉｐｌｅｘｉｎｇ  ｆｏｒ  ＡＴＭ（ＩＭＡ）ｏｖｅｒ  Ｅ１／Ｔ１）、又は、同期デジタル階層（ＳＤＨ）上のＡＴＭ（ＡＴＭ  ｏｖｅｒ  Ｓｙｎｃｈｒｏｎｏｕｓ  Ｄｉｇｉｔａｌ  Ｈｉｅｒａｒｃｈｙ（ＳＤＨ））を使用することによってアクセスされてもよく、そして、ＰＷＥ３装置１によって提供されるＡＴＭインタフェースに接続されてもよい。ＰＷＥ３装置１は、受信されたＡＴＭセルを、ＩＰネットワーク上での伝送のために、ＰＷＥ３プロトコルを使用することによって、ＩＰパケット内にカプセル化する（図３は、メトリポリタンエリアアクセスネットワークの集約レイヤを示す）。ＰＷＥ３装置２は、受信されたＩＰパケットをセルに分解するために、ＰＷＥ３装置１の逆のプロセスを完了し、そして、セルを基地局コントローラに送信する。
【００１３】
図４は、図３に対応する、プロトコルスタックベアラの変換を示す。図示されているように、ＰＷＥ３装置１及び２は、実際には、ＩＰネットワーク上のトンネル、すなわちＰＷＥを使用して、ＡＴＭセルを運び、それにより、ＩＰベアラネットワーク上でのＡＴＭセルの伝送を実施する。
【００１４】
発明者は、本発明を実現する間に、従来技術の第２の解決法が、第１の解決法と同様の弱点を有することを見出した。
【００１５】
１．２組の変換装置が必要とされ、これによりコストが増加する。
【００１６】
２．ベアラ効率が低い。一方、カプセル化レイヤが追加されるため、伝送効率が減少する。
【００１７】
更に、ＡＴＭ及びＩＰベアラネットワークを有する事業者は、基地局のフローにアクセスするためにＡＴＭ及びＩＰベアラネットワークを同時に使用して、ＡＴＭの高信頼性と、ＩＰの柔軟性及び高帯域幅とを組み合わせ、それにより、２つのベアラネットワークの最大利用を実現することを希望する。
【００１８】
従来技術における技術的解決法では、トランスペアレントな伝送のメカニズム（ｔｒａｎｓｐａｒｅｎｔ  ｔｒａｎｓｍｉｓｓｉｏｎ  ｍｅｃｈａｎｉｓｍｓ）が欠如しており、異なるベアラネットワークのリンク負荷情報に従ってフローを等化することができず、そのため、帯域幅の分担（ｓｈａｒｉｎｇ  ｏｆ  ｂａｎｄｗｉｄｔｈ）が実施されることができない。
【課題を解決するための手段】
【００１９】
本発明の実施形態は、ベアラネットワークの伝送効率を向上させるためにフローを等化する、方法、装置、及びシステムを提供する。
【００２０】
本発明の一実施形態は、
送信元ノードから送信された、サービスフローのリンク設定要求を、中継ノードによって受信し、
中継ノードによって、サービスフローのリンク設定要求に従って、送信元ノードと宛先ノードとの間の各ベアラネットワークのリンク負荷情報を取得し、より小さなリンク負荷を有するベアラネットワークを選択して、サービスフローのための転送リンクを設定し、
中継ノードによって、転送リンクに従って、サービスフローを転送すること
を含む、フローを等化する方法を提供する。
【００２１】
本発明の一実施形態は、送信元ノードと、中継ノードと、宛先ノードとを含む、フローを等化するシステムを更に提供する。
【００２２】
送信元ノードは、サービスフローと、サービスフローのリンク設定要求とを送信するように構成される。
【００２３】
中継ノードは、送信元ノードから送信された、サービスフローのリンク設定要求を受信し、サービスフローのリンク設定要求に従って、送信元ノードと宛先ノードとの間の各ベアラネットワークのリンク負荷情報を取得し、より小さなリンク負荷を有するベアラネットワークを選択して、サービスフローのための転送リンクを設定し、転送リンクに従って、サービスフローを転送するように構成される。
【００２４】
宛先ノードは、中継ノードによって転送されたサービスフローを受信するように構成される。
【００２５】
本発明の一実施形態は、
送信元ノードから送信された、サービスフローのリンク設定要求を受信するように構成された、シグナリング受信モジュールと、
サービスフローのリンク設定要求に従って、送信元ノードと宛先ノードとの間の各ベアラネットワークのリンク負荷情報を取得するように構成された、取得モジュールと、
ベアラネットワークのリンク負荷情報に従って、より小さなリンク負荷を有するベアラネットワークを選択して、サービスフローのための転送リンクを設定するように構成された、リンク選択モジュールと
を含む、フローを等化する装置を更に提供する。
【００２６】
本発明の一実施形態は、
ＡＴＭセルのヘッダ情報に従って、ローカル転送テーブルを検索し、ＡＴＭセルの転送リンク情報を取得し、そして、
ＡＴＭセルがＩＰネットワークを介して伝送されることを、転送リンク情報が示す場合、ＡＴＭセルをＩＰパケット内にカプセル化し、ＩＰパケットをＡＴＭ／ＩＰデュアルスタック基地局コントローラに転送すること、又は、
転送リンク情報に従って、ＡＴＭセルをＩＰパケット内にカプセル化し、ＩＰパケットをＩＰ基地局に転送すること
を含む、ＡＴＭプロトコルスタックをＩＰプロトコルスタックに変換する方法を更に提供する。
【００２７】
本発明の一実施形態は、
ＩＰパケットのヘッダ情報に従って、ローカル転送テーブルを検索し、ＩＰパケットの転送リンク情報を取得し、そして、
ＩＰパケットがＡＴＭネットワークを介して伝送されることを、転送リンク情報が示す場合、ＩＰパケットをＡＴＭセル内にカプセル化し、ＡＴＭセルをＡＴＭ／ＩＰデュアルスタック基地局コントローラに転送すること、又は、
転送リンク情報に従って、ＩＰパケットをＡＴＭセル内にカプセル化し、ＡＴＭセルをＡＴＭ基地局に転送すること
を含む、ＩＰプロトコルスタックをＡＴＭプロトコルスタックに変換する方法を更に提供する。
【発明の効果】
【００２８】
従来技術と比較して、本発明の実施形態の技術的解決法は以下の利点を有する。
【００２９】
シグナリングプレーンの許可制御を介して、データフローの設定中に、現在のベアラネットワークのリンク負荷情報に従って、シグナリングネゴシエーションによって、データフローの負荷分担設定（ｌｏａｄ  ｓｈａｒｉｎｇ  ｃｏｎｆｉｇｕａｔｉｏｎ）が実行され、ベアラネットワークの利用効率が向上する。加えて、中継ノードは、ＡＴＭ及びＩＰネットワーク標準プロトコルを同時にサポートし、高いカプセル化効率が実施され、ネットワーク帯域幅の利用が向上する。更に、ＡＴＭ／ＩＰデュアルプロトコルスタック装置は、ＡＴＭ及びＩＰ標準プロトコルの間の変換の機能を組み込み、装置の購入コスト及び保守コストが効果的に節約される。
【図面の簡単な説明】
【００３０】
【図１】従来技術の第１の解決法における、ＩＰｏＡプロトコルネットワーキングのアーキテクチャの概略図を示す。
【図２】従来技術の第１の解決法における、ＩＰｏＡプロトコルネットワーキングのプロトコルスタックベアラの変換の概略図を示す。
【図３】従来技術の第２の解決法における、ＰＷＥ３プロトコルネットワーキングのアーキテクチャの概略図を示す。
【図４】従来技術の第２の解決法における、ＰＷＥ３プロトコルネットワーキングのプロトコルスタックベアラの変換の概略図を示す。
【図５】本発明の一実施形態における、フローを等化する方法のフローチャートを示す。
【図６】本発明の一実施形態における、ＡＴＭ／ＩＰベアラネットワークのシステムアーキテクチャを示す。
【図７】本発明の別の実施形態における、フローを等化する方法のフローチャートを示す。
【図８】本発明の更に別の実施形態における、フローを等化する方法のフローチャートを示す。
【図９】本発明の一実施形態における、ＩＰベアラネットワーク上での伝送のためにＡＴＭセルがＩＰパケットに変換される、プロトコルスタックの変換を示す。
【図１０】本発明の一実施形態における、ＡＴＭベアラネットワーク上での伝送のためにＩＰパケットがＡＴＭセルに変換される、プロトコルスタックの変換を示す。
【図１１】本発明の一実施形態における、フローを等化する装置の構成図を示す。
【発明を実施するための形態】
【００３１】
本発明の実施形態は、フローを等化する方法、装置、及びシステムを提供する。
【００３２】
以下に、本発明について、好ましい実施形態及び添付の図面を参照して詳細に説明する。
【００３３】
本発明の実施形態は、サービスフローの、送信元ノードと中継ノード（ゲートウェイ、及び本発明の実施形態によって提供されるＡＴＭ／ＩＰデュアルスタックハブなど）との間の、及び／又は、中継ノードと宛先ノードとの間の、少なくとも２つの利用可能なベアラネットワークによって開示される。
【００３４】
本発明の一実施形態は、図５に示すような、フローを等化する方法を提供する。中継ノードは、以下のステップの動作を実施する。
【００３５】
ステップＳ５０１：送信元ノードから送信された、サービスフローのリンク設定要求を受信する。
【００３６】
ステップＳ５０２：サービスフローのリンク設定要求に従って、送信元ノードと宛先ノードとの間の各ベアラネットワークのリンク負荷情報を取得し、より小さなリンク負荷を有するベアラネットワークを選択して、サービスフローのための転送リンクを設定する。
【００３７】
ステップＳ５０２で、より小さなリンク負荷を有するベアラネットワークを選択して、サービスフローのための転送リンクを設定した後に、以下の動作が更に提供される。リンク設定成功メッセージを送信元ノードに通知し、サービスフローの転送リンクの情報を、中継ノード内のローカル転送テーブル内に記憶する。
【００３８】
ステップＳ５０３：転送リンクに従って、サービスフローを転送する。
【００３９】
ステップＳ５０３．１：送信元ノードから送信されたサービスフローを受信した場合、サービスフローのヘッダ情報に従って、ローカル転送テーブルを検索し、サービスフローの転送リンクの情報を取得する。
【００４０】
ステップＳ５０３．２：ＡＴＭセルがＩＰネットワークを介して伝送されることを、転送リンクの情報が示す場合、ＡＴＭセルをＩＰパケット内にカプセル化し、カプセル化されたＩＰパケットを、宛先ノードに転送する（ＩＰルーティングによって送信される）。
【００４１】
又は、ＩＰパケットがＡＴＭネットワークを介して伝送されることを、転送リンクの情報が示す場合、ＩＰパケットをＡＴＭセル内にカプセル化し、カプセル化されたＡＴＭセルを宛先ノードに転送する（送信の前に、集約が更に実施されてもよい）。
【００４２】
中継ノードが、サービスフローの転送リンクの情報を取得し、ＡＴＭセルがＡＴＭネットワークを介して伝送されること、又はＩＰパケットがＩＰネットワークを介して伝送されることを情報が示した後のプロセスは、現在のプロセスと同じである（フローを等化するリンクの選択は、本発明の方法実施形態によって実施される）。
【００４３】
本実施形態において、中継ノードがサービスフローのリンクティアダウン要求を受信した場合、リンクティアダウン要求に従って、ローカル転送テーブル内の、サービスフローの転送リンクの情報が削除され、ローカル転送テーブルが更新される。
【００４４】
本実施形態において、データフローの負荷分担設定は、現在のベアラネットワークのリンク負荷情報に従った、中継ノードと、送信元ノードと、宛先ノードとの間でのシグナリングネゴシエーションによって実行される。データパケットを受信した場合、中継ノードは、ローカル転送テーブル内の、転送リンクの情報を検索し、転送リンクの情報に従って転送リンクを維持し、それにより、ベアラネットワークの利用効率を向上させる。
【００４５】
本実施形態において、ローカル転送テーブルは、パケット転送テーブルと、セル転送テーブルとに細分されてもよい。パケット転送テーブルと、セル転送テーブルとは、個別に記憶されてもよく（この場合、２つのテーブルはバックアップされてもよく、そして、利便性の高い検索のために、２つのテーブルと、対応するバックアップテーブルとの間の情報の一貫性を実施するための同期が実行されてもよい）、又は、パケット転送テーブルと、セル転送テーブルとは、一般的なローカル転送テーブル内に組み込まれてもよい。
【００４６】
本発明の別の実施形態は、上記の実施形態によって提供される方法を特定のシナリオに適用するものである。特定のシナリオのシステムアーキテクチャは、図６に示されており、ＡＴＭ基地局と、ＩＰ基地局と、ＡＴＭ／ＩＰデュアルスタックハブと、ＡＴＭ／ＩＰデュアルスタック基地局コントローラとを含む。ベアラネットワークとしてＡＴＭネットワークを利用するＸリンクと、ベアラネットワークとしてＩＰネットワークを利用するＹリンクとが、ＡＴＭ／ＩＰデュアルスタック基地局コントローラと、ＡＴＭ／ＩＰデュアルスタックハブとの間に存在する。サービスフローの伝送の間、送信元ノードが、ＩＰ基地局又はＡＴＭ基地局であり、サービスフローの宛先ノードが、ＡＴＭ／ＩＰデュアルスタック基地局コントローラである場合、サービスフローを伝送するリンクは、アップリンクであり、サービスフローの送信元ノードが、ＡＴＭ／ＩＰデュアルスタック基地局コントローラであり、サービスフローの宛先ノードが、ＩＰ基地局又はＡＴＭ基地局である場合、サービスフローを伝送するリンクは、ダウンリンクである。サービスフローの中継ノードは、ＡＴＭ／ＩＰデュアルスタックハブである。
【００４７】
図６に示すアーキテクチャにおけるアップリンクを例に取ることによって、本実施形態について更に詳細に説明する。
【００４８】
図７に示すように、本実施形態によって提供される方法は、以下のステップを含む。
【００４９】
ステップＳ７０１：ＡＴＭ／ＩＰデュアルスタックハブは、ＩＰ基地局又はＡＴＭ基地局から送信された、サービスフローのリンク設定要求を受信する。図６に示すアクセスネットワークにおいて、データフローの設定及びティアダウンは、伝送制御シグナリングメッセージ（これは、サービスフローのリンク設定要求、及びサービスフローのリンクティアダウン要求である）に従って実施される。
【００５０】
ステップＳ７０２：ＡＴＭ／ＩＰデュアルスタックハブは、サービスフローのリンク設定要求に従って、ＡＴＭ／ＩＰデュアルスタックハブとＡＴＭ／ＩＰデュアルスタック基地局コントローラとの間の、ＡＴＭネットワーク及びＩＰネットワークのリンク負荷情報を取得し、より小さなリンク負荷を有するベアラネットワークを選択して、サービスフローのための転送リンクを設定する。
【００５１】
ステップＳ７０２において、ＡＴＭ／ＩＰデュアルスタックハブは、Ｘ及びＹリンクのポートのフロー統計に従って、現在のＡＴＭネットワーク及びＩＰネットワークのリンク負荷情報を取得してもよい。現在のＸリンクが、より小さなリンク負荷を有する場合、サービスフローは、Ｘリンクを介してＡＴＭ／ＩＰデュアルスタック基地局コントローラに転送されるように設定される。逆の場合、サービスフローは、Ｙリンクを介してＡＴＭ／ＩＰデュアルスタック基地局コントローラに転送される。
【００５２】
このステップは、サービスフローの転送リンク情報を、ローカル転送テーブル（これは、セル転送テーブル又はパケット転送テーブルであってもよい）内に記憶することを更に含む。
【００５３】
送信元ノードがＩＰ基地局である場合、Ｘリンクがより小さなリンク負荷を有するならば、ＡＴＭネットワークによってＩＰパケットを運ぶことのエントリが、パケット転送テーブル内に作成され、ＩＰネットワークに連結されたＹリンクがより小さなリンク負荷を有するならば、ＩＰネットワークによってＩＰパケットを運ぶことのエントリが、パケット転送テーブル内に作成される。同様に、送信元ノードがＡＴＭ基地局である場合、ＡＴＭネットワークに連結されたＸリンクがより小さなリンク負荷を有するならば、ＡＴＭネットワークによってＡＴＭセルを運ぶことのエントリが、セル転送テーブル内に作成され、ＩＰネットワークに連結されたＹリンクがより小さなリンク負荷を有するならば、ＩＰネットワークによってＡＴＭセルを運ぶことのエントリが、セル転送テーブル内に作成される。
【００５４】
ローカル転送テーブル内で、ＡＴＭセルについては、無線データフローのインデックスが、ＡＴＭパーマネントバーチャルサーキット（ＰＶＣ）及びＡＡＬ２コネクション識別情報（ＣＩＤ）によって一意に識別されるため、セル転送テーブルを設定するプロセス（セル転送テーブルは、ＡＴＭ／ＩＰデュアルスタックハブ内に事前設定されてもよく、設定プロセスは、セルの転送リンク情報をセル転送テーブル内に記録することである）は、データフローに対応するＡＴＭ  ＰＶＣ及びＡＡＬ２  ＣＩＤと、ＡＴＭセルをＸ又はＹリンクに転送することを示す、セル転送テーブル内の情報とを、シグナリングネゴシエーションによってマッピング（又は設定）するプロセスである。
【００５５】
ＩＰパケットについては、無線データフローのインデックスが、送信元ＩＰアドレス、宛先ＩＰアドレス、及びユーザデータグラムプロトコル（ＵＤＰ）ポート番号によって一意に識別されるため、パケット転送テーブルを設定するプロセスは、データフローに対応する送信元ＩＰアドレス、宛先ＩＰアドレス、及びＵＤＰポート番号（ＵＤＰ送信元ポート番号、及びＵＤＰ宛先ポート番号を含む）と、ＩＰパケットをＸ又はＹリンクに転送することを示す、パケット転送テーブル内の情報とを、シグナリングネゴシエーションによってマッピング（又は設定）するプロセスである。
【００５６】
表１に示すように、セル転送テーブルは、ＡＴＭセルが受信されるサービスフローのサービスフローインデックス（すなわち、テーブルルックアップ内容（ｔａｂｌｅ  ｌｏｏｋｕｐ  ｃｏｎｔｅｎｔｓ））と、転送タイプ情報とを記憶し（表１内のサービスフローに対応する送信元ノードは、ＡＴＭ基地局、又はＡＴＭ／ＩＰデュアルスタック基地局コントローラであってもよい）、ここで、転送タイプ情報は、表１内のフィールドによって表される、ＡＴＭセルを送信するＡＴＭネットワークを選択するためのリンク情報（ＡＴＭ送信元ＰＶＣ、及び送信元ＡＡＬ２  ＣＩＤから、ＡＴＭ宛先ＰＶＣ、及び宛先ＡＡＬ２  ＣＩＤへのマッピング関係）（ここで、ＰＶＣ情報は、バーチャルパス識別子（ＶＰＩ）情報と、バーチャルチャネル識別子（ＶＣＩ）情報とを含む）と、ＡＴＭセルを送信するＩＰネットワークを選択するためのリンク情報（例えば表１のエントリＮのような、ＡＴＭ送信元ＰＶＣ、及び送信元ＡＡＬ２  ＣＩＤから、送信元ＩＰアドレス、宛先ＩＰアドレス、ＵＤＰ送信元ポート番号、及びＵＤＰ宛先ポート番号へのマッピング関係）とを含む。
【００５７】
【表１】
2011521525.tif 000003
【００５８】
表２に示すように、パケット転送テーブルは、ＩＰパケットが受-信されるサービスフローのサービスフローテーブルルックアップ内容（テーブルインデックスとも呼ばれる）と、転送タイプ情報とを記憶し（表２内のサービスフローに対応する送信元ノードは、ＩＰ基地局、又はＡＴＭ／ＩＰデュアルスタック基地局コントローラであってもよい）、ここで、転送タイプ情報は、ＩＰパケットを送信するＡＴＭネットワークを選択するためのリンク情報（例えば表２のエントリ１及び２のように、送信元ＩＰアドレス、宛先ＩＰアドレス、ＵＤＰ送信元ポート番号、及びＵＤＰ宛先ポート番号から、ＡＴＭ送信元ＰＶＣ、及び送信元ＡＡＬ２  ＣＩＤへのマッピング関係を設定すること）と、ＩＰパケットを送信するＩＰネットワークを選択するためのリンク情報（ＩＰパケットは依然として同じであり、ＩＰルーティング及び転送のために、ＩＰルーティングモジュールに直接入る）とを含む。
【００５９】
【表２】
2011521525.tif 000004
【００６０】
ステップＳ７０３：ＡＴＭ／ＩＰデュアルスタックハブは、サービスフローのリンク設定要求の送信側（ＡＴＭ基地局、又はＩＰ基地局）に、リンク設定成功メッセージを通知する。例えば、サービスフローのリンク設定要求の応答メッセージに、リンク設定成功メッセージを追加することによって、ＡＴＭ／ＩＰデュアルスタックハブは、サービスフローのリンク設定要求の送信側がデータフローをいつでも送信してもよいということを通知する。
【００６１】
シグナリングネゴシエーションは、ＡＴＭ／ＩＰデュアルスタックハブと、ＡＴＭ基地局又はＩＰ基地局と、ＡＴＭ／ＩＰデュアルスタック基地局コントローラとを含むプロセスであるため、ネゴシエーションによって設定された転送リンク情報は、サービスフローのリンク設定要求の応答メッセージによって、送信元ノードにフィードバックされてもよい。ＡＴＭ基地局又はＩＰ基地局から、ＡＴＭ／ＩＰデュアルスタックハブまでのベアラネットワークは、通常、一意であり、従って、ＡＴＭ／ＩＰデュアルスタックハブの応答メッセージを受信した場合、ＡＴＭ基地局はＡＴＭセルを送信する。ＩＰ基地局については、ＩＰ基地局はＩＰパケットを送信する。
【００６２】
ステップＳ７０４：ＡＴＭ／ＩＰデュアルスタックハブは、ローカル転送テーブル内に記憶された、サービスフローの転送リンク情報に従って、サービスフローを転送する。このステップは、具体的には以下を含む。
【００６３】
ＡＴＭ／ＩＰデュアルスタックハブは、ＡＴＭ基地局又はＩＰ基地局から送信されたサービスフローを受信し、ローカル転送テーブルのテーブルルックアップ内容（ローカル転送テーブルは、テーブルルックアップ内容と、転送タイプとを含み、テーブルルックアップ内容は、サービスフローのヘッダ情報と整合性がある）が、サービスフローのヘッダ情報に従って照合され（ＩＰパケットのヘッダ情報は、送信元ＩＰアドレス、宛先ＩＰアドレス、及びＵＤＰポート番号であり、ＡＴＭセルのヘッダ情報は、ＡＴＭ  ＰＶＣ、及びＡＡＬ２  ＣＩＤである）、サービスフローの転送リンク情報が取得される。
【００６４】
ＡＴＭ基地局からのＡＴＭセルがＩＰネットワークを介して伝送されることを、転送リンク情報が示す場合、ＡＴＭセルは、プロトコル変換によってＩＰパケット内にカプセル化され（ＡＴＭセルのＡＡＬ２プロトコルを終端させ、ＡＴＭセルのセルペイロードを、ＩＰパケット内にカプセル化する）、カプセル化されたＩＰパケットが、宛先ノードに転送される。
【００６５】
ＩＰ基地局からのＩＰパケットがＡＴＭネットワークを介して伝送されることを、転送リンク情報が示す場合、ＩＰパケットは、プロトコル変換によってＡＴＭセル内にカプセル化され（ＩＰパケットのＵＤＰプロトコルを終端させ、ＩＰパケットのパケットペイロードを、ＡＴＭセル内にカプセル化する）、カプセル化されたＡＴＭセルが、宛先ノードに転送される。
【００６６】
ＩＰ基地局からのＩＰパケット、又はＡＴＭ基地局からのＡＴＭセルが、同じタイプのネットワーク（対応するＩＰ又はＡＴＭネットワーク）を使用することによって伝送されることを、転送リンク情報が示す場合、転送処理は、プロトコルを変換することなしに直接実行される。
【００６７】
ステップＳ７０５：ＡＴＭ／ＩＰデュアルスタックハブは、サービスフローのリンクティアダウン要求を受信し、サービスフローの転送リンク情報を削除する。
【００６８】
ローカル転送テーブルは、動的な転送テーブルである。サービスフローのリンク設定要求が受信された場合、転送テーブルは、サービスフローの転送リンク情報を設定して記憶し、サービスフローの通信が完了した後（サービスフロー伝送の完了、又はサービスフローの転送リンクの異常中断を含む）、サービスフローのリンクティアダウン要求が受信されたら、サービスフローの転送リンク情報は削除される。ローカル転送テーブルは、現在のベアラネットワークのリンク負荷情報の正しい統計のために更新される。例えば、音声通話の間、対応するリンクがセッションのために設定され、セッションの、対応するリンク情報は、通話が完了した後、削除される。
【００６９】
本実施形態において、シグナリングプレーンの許可制御を介して、アップリンクデータフローのリンク設定中に、ＡＴＭ／ＩＰデュアルスタックハブと、ＡＴＭ／ＩＰデュアルスタック基地局コントローラとの間の、ＡＴＭ及びＩＰベアラネットワークの帯域幅利用に従って、シグナリングネゴシエーションによって、データフローの負荷分担設定が実行され、それにより、ＡＴＭ／ＩＰデュアルスタックハブは、ＡＴＭ及びＩＰベアラネットワークの間の等化を行いながらデータフローを転送することができ、ベアラネットワークの利用効率が向上する。ＩＰデータフローとＡＴＭデータフローとの間の変換を完了するために、基地局（ＡＴＭ又はＩＰ基地局）と、ＡＴＭ／ＩＰデュアルスタック基地局コントローラとの間に、１つのみのＡＴＭ／ＩＰデュアルスタックハブが必要とされるため、装置の購入コスト及び保守コストが効果的に節約される。
【００７０】
本発明の更に別の実施形態は、フローを等化する方法を、図６に示すシステムにおけるダウンリンクのサービスフロー伝送に適用するものであり、以下を含む。
【００７１】
ステップＳ８０１：ＡＴＭ／ＩＰデュアルスタックハブは、ＡＴＭ／ＩＰデュアルスタック基地局コントローラから送信された、サービスフローのリンク設定要求を受信する。
【００７２】
ステップＳ８０２：ＡＴＭ／ＩＰデュアルスタックハブは、サービスフローのリンク設定要求に従って、ＡＴＭ／ＩＰデュアルスタックハブとＡＴＭ／ＩＰデュアルスタック基地局コントローラとの間の、ＡＴＭネットワーク及びＩＰネットワークのリンク負荷情報を取得し、より小さなリンク負荷を有するベアラネットワークを選択して、サービスフローのための転送リンクを設定する。
【００７３】
このステップにおいて、ＡＴＭ／ＩＰデュアルスタックハブは、Ｘ及びＹリンクのポートのフロー統計に従って、現在のＡＴＭネットワーク及びＩＰネットワークのリンク負荷情報を取得してもよい。現在のＸリンクが、より小さなリンク負荷を有する場合、ＡＴＭ／ＩＰデュアルスタック基地局コントローラから送信されるサービスフローは、Ｘリンクを介してＡＴＭ／ＩＰデュアルスタックハブに転送され、ＡＴＭ又はＩＰ基地局に更に中継されるように設定される。逆の場合、サービスフローは、Ｙリンクを介してＡＴＭ／ＩＰデュアルスタックハブに転送され、ＡＴＭ又はＩＰ基地局に更に中継される。
【００７４】
リンクを設定するプロセスは、ＡＴＭ／ＩＰデュアルスタック基地局コントローラから、ＡＴＭ／ＩＰデュアルスタックハブまで、そして更に、ＡＴＭ又はＩＰ基地局までの、完全なリンクを含む。
【００７５】
このステップにおいて、ローカル転送テーブル内に記憶される、サービスフローの転送リンク情報は、表１及び２におけるものと同一であり、従って、更なる説明は必要としない。
【００７６】
ステップＳ８０３：ＡＴＭ／ＩＰデュアルスタックハブは、ＡＴＭ／ＩＰデュアルスタック基地局コントローラに、リンク設定成功メッセージを通知する。例えば、サービスフローのリンク設定要求の応答メッセージに、リンク設定成功メッセージを追加することによって、ＡＴＭ／ＩＰデュアルスタックハブは、ＡＴＭ／ＩＰデュアルスタック基地局コントローラがデータフローをいつでも送信してもよいということを通知する。
【００７７】
このステップにおいて、シグナリングネゴシエーションは、ＡＴＭ／ＩＰデュアルスタックハブと、ＡＴＭ基地局又はＩＰ基地局と、ＡＴＭ／ＩＰデュアルスタック基地局コントローラとを含むプロセスであるため、ネゴシエーションによって設定された転送リンク情報は、応答メッセージによって、送信元ノードにフィードバックされてもよい。ＡＴＭ／ＩＰデュアルスタック基地局コントローラが、サービスフローの送信元であるため、サービスフロー内の有用な情報は、ＩＰパケット内に（シグナリングリンクがＩＰネットワーク内に設定された場合）、又はＡＴＭセル内に（シグナリングリンクがＡＴＭネットワーク内に設定された場合）カプセル化される。
【００７８】
ステップＳ８０４：ＡＴＭ／ＩＰデュアルスタックハブは、ローカル転送テーブル内に記憶された、サービスフローの転送リンク情報に従って、サービスフローを転送する。このステップは、具体的には以下を含む。
【００７９】
ＡＴＭ／ＩＰデュアルスタックハブは、ローカル転送テーブル内のテーブルルックアップ内容を、サービスフローのヘッダ情報に従って照合し（ＩＰパケットのヘッダ情報は、送信元ＩＰアドレス、宛先ＩＰアドレス、及びＵＤＰポート番号であり、ＡＴＭセルのヘッダ情報は、ＡＴＭ  ＰＶＣ、及びＡＡＬ２  ＣＩＤである）、サービスフローの転送リンク情報を取得する。
【００８０】
サービスフローのために設定されたリンクが、ＡＴＭ／ＩＰデュアルスタック基地局コントローラから、ＡＴＭネットワークを介して、ＡＴＭ／ＩＰデュアルスタックハブへ、次に、ＩＰネットワークを介して、ＩＰ基地局へのリンクであることを、転送リンク情報が示す場合、ＡＴＭ／ＩＰデュアルスタックハブは、受信されたＡＴＭセルに対してプロトコル変換を実行し、ＡＡＬ２プロトコルを終端させ、ＡＴＭセルのセルペイロードをＩＰパケット内にカプセル化し、宛先ＩＰアドレスをＩＰ基地局に変更して、カプセル化されたパケットをＩＰ基地局に送信する。
【００８１】
サービスフローのために設定されたリンクが、ＡＴＭ／ＩＰデュアルスタック基地局コントローラから、ＩＰネットワークを介して、ＡＴＭ／ＩＰデュアルスタックハブへ、次に、ＡＴＭネットワークを介して、ＡＴＭ基地局へのリンクであることを、転送リンク情報が示す場合、ＡＴＭ／ＩＰデュアルスタック基地局コントローラから送信されるパケットは、ＩＰパケットである。ＡＴＭ／ＩＰデュアルスタックハブは、ＡＴＭ／ＩＰデュアルスタック基地局コントローラから送信されたＩＰパケットに対してプロトコル変換を実行し、ＵＤＰを終端させ、ＩＰパケットのＩＰアドレス、ＵＤＰポート番号などを、ＡＴＭ基地局のＶＰＩ／ＶＣＩに変更して、カプセル化されたセルをＡＴＭ基地局に送信する。
【００８２】
サービスフローのために設定されたリンクが、ＡＴＭ／ＩＰデュアルスタック基地局コントローラから、ＡＴＭネットワークを介して、ＡＴＭ／ＩＰデュアルスタックハブへ、次に、ＡＴＭネットワークを介して、ＡＴＭ基地局へのリンクであることを、又は、ＡＴＭ／ＩＰデュアルスタック基地局コントローラから、ＩＰネットワークを介して、ＡＴＭ／ＩＰデュアルスタックハブへ、次に、ＩＰネットワークを介して、ＩＰ基地局へのリンクであることを、転送リンク情報が示す場合、転送処理は、プロトコルを変換することなしに直接実行される。
【００８３】
ステップＳ８０５：ＡＴＭ／ＩＰデュアルスタックハブは、サービスフローのリンクティアダウン要求を受信し、サービスフローの転送リンク情報を削除する。このステップは、第２の実施形態のステップＳ７０５と同様であり、従って、更なる説明は必要としない。
【００８４】
本実施形態に対応するいくつかの技術的解決法では、ＡＴＭ／ＩＰデュアルスタック基地局コントローラが、ＡＴＭ及びＩＰネットワークに接続されたポートを介して、現在のベアラネットワークのリンク負荷情報を取得してもよく、そして、より小さなリンク負荷を有するベアラネットワークを選択することを決定して、ＡＴＭ／ＩＰデュアルスタックハブにサービスフローを送信してもよいということが、通常は考慮される。しかしこれは、ＡＴＭ／ＩＰデュアルスタックハブが、本実施形態によって提供される技術的解決法をたとえ使用しても、受信されたサービスフローをどのように転送するかを知らないということを引き起こし、結果として、ＡＴＭ／ＩＰデュアルスタックハブとＡＴＭ／ＩＰデュアルスタック基地局コントローラとの間の非協調的な動作と、システムの性能への重大な障害がもたらされる。
【００８５】
本実施形態において、シグナリングプレーンの許可制御を介して、ダウンリンクデータフローのリンク設定中に、ＡＴＭ／ＩＰデュアルスタックハブと、ＡＴＭ／ＩＰデュアルスタック基地局コントローラとの間の、ＡＴＭ及びＩＰベアラネットワークの帯域幅利用に従って、シグナリングネゴシエーションによって、データフローの負荷分担設定が実行され、それにより、ＡＴＭ／ＩＰデュアルスタックハブは、ＡＴＭ及びＩＰベアラネットワークの間の等化を行いながら、ＡＴＭ／ＩＰデュアルスタック基地局コントローラからのサービスフローを受信することができ、ベアラネットワークの利用効率が向上する。ＩＰデータフローとＡＴＭデータフローとの間の変換を完了するために、基地局（ＡＴＭ又はＩＰ基地局）と、ＡＴＭ／ＩＰデュアルスタック基地局コントローラとの間に、１つのみのＡＴＭ／ＩＰデュアルスタックハブが必要とされるため、装置の購入コスト及び保守コストが効果的に節約される。
【００８６】
図７及び図８に対応する２つの実施形態において、パケットの転送中に、ＡＴＭ／ＩＰデュアルスタックハブが、ＩＰネットワークを介してＡＴＭセルを、又はＡＴＭネットワークを介してＩＰパケットを伝送する場合、プロトコル変換が必要とされる。変換プロセスは、ＡＴＭセルのＡＡＬ２プロトコルを終端させて、ＡＴＭセルのセルペイロードをＩＰパケット内にカプセル化すること、又は、ＩＰパケットのＵＤＰプロトコルを終端させて、ＩＰパケットのパケットペイロードをＡＴＭセル内にカプセル化することを含む。
【００８７】
図６に示すシステムアーキテクチャにおいて、ＡＴＭ基地局がサービスフローを送信し、そして、ＡＴＭ／ＩＰデュアルスタックハブによって設定された、サービスフローの転送リンク情報が、ＡＴＭ／ＩＰデュアルスタック基地局コントローラへの、ＩＰネットワークを介した伝送を示す場合、プロトコル変換が実行される。転送リンクにおける、サービスフローのカプセル化構成を、図９に示す。図９におけるプロトコル変換は、図４におけるＰＷＥ３プロトコルのベアラモードとは異なる。ＰＷＥ３プロトコルの処理方式は、ＡＴＭセル全体をカプセル化し、ＡＴＭセル全体を２度変換するものである。従って、本発明の実施形態におけるベアラモードが、ＰＷＥ３プロトコルにおけるよりも低いプロトコルレイヤと、高い伝送効率とを有するということを、図から知ることができる。その上、ＡＴＭ基地局と、ＡＴＭ／ＩＰデュアルスタック基地局コントローラとは、それらの間に２つの変換装置を必要とせず、従って、コストが節約される。
【００８８】
同様に、ＩＰ基地局がサービスフローを送信し、そして、ＡＴＭ／ＩＰデュアルスタックハブが、ＡＴＭ／ＩＰデュアルスタック基地局コントローラへの伝送のためのベアラネットワークとして、ＡＴＭネットワークを選択した場合の、サービスフロー転送の間のプロトコルスタックが、図１０に示されている。同様に、本発明の実施形態におけるプロトコル変換は、ＩＰｏＡプロトコルの変換よりも低いプロトコルレイヤと、高い伝送効率とを有し、従って、コストが節約されるということを、図１０と図２との間の比較によって知ることができる。
【００８９】
ＡＴＭ／ＩＰデュアルスタック基地局コントローラから送信されたＡＴＭセルが、ＩＰ基地局に送信される必要がある場合、又は、ＡＴＭ／ＩＰデュアルスタック基地局コントローラから送信されたＩＰパケットが、ＡＴＭ基地局に伝送される必要がある場合、ベアラモードは、上記の２つの場合と同様であり、従って、更なる説明は必要とされない。
【００９０】
一実施形態は、送信元ノードと、中継ノードと、宛先ノードとを含む、フローを等化するシステムを提供する（システムは、図６における、ＡＴＭ／ＩＰデュアルスタックハブと、ＡＴＭ基地局と、ＩＰ基地局と、ＡＴＭ／ＩＰデュアルスタック基地局コントローラとからなってもよい）。
【００９１】
送信元ノードは、サービスフローと、サービスフローのリンク設定要求とを送信するように構成される。
【００９２】
中継ノードは、送信元ノードから送信された、サービスフローのリンク設定要求を受信し、サービスフローのリンク設定要求に従って、送信元ノードと宛先ノードとの間の各ベアラネットワークのリンク負荷情報を取得し、より小さなリンク負荷を有するベアラネットワークを選択して、サービスフローのための転送リンクを設定し、転送リンクに従って、サービスフローを転送するように構成される。
【００９３】
宛先ノードは、中継ノードによって転送されたサービスフローを受信するように構成される。
【００９４】
中継ノードは、ＡＴＭ／ＩＰデュアルスタックハブであってもよい。送信元ノードは、ＡＴＭ基地局、ＩＰ基地局、及びＡＴＭ／ＩＰデュアルスタック基地局コントローラのうちのいずれか１つであってもよく、そして、送信元ノードがＡＴＭ又はＩＰ基地局である場合、宛先ノードはＡＴＭ／ＩＰデュアルスタック基地局コントローラであり、送信元ノードがＡＴＭ／ＩＰデュアルスタック基地局コントローラである場合、宛先ノードはＡＴＭ又はＩＰ基地局である。
【００９５】
中継ノードは、ＡＴＭ／ＩＰデュアルスタックハブであってもよい。図１１に示すように、中継ノードは、
送信元ノードから送信された、サービスフローのリンク設定要求を受信するように構成された、シグナリング受信モジュール１と、
サービスフローのリンク設定要求に従って、送信元ノードと宛先ノードとの間の各ベアラネットワークのリンク負荷情報を取得するように構成された、取得モジュール２と、
ベアラネットワークのリンク負荷情報に従って、より小さなリンク負荷を有するベアラネットワークを選択して、サービスフローのための転送リンクを設定するように構成された、リンク選択モジュール３とを含む。
【００９６】
中継ノードは、以下を更に含む。
【００９７】
サービスフローの転送リンク情報を、ローカル転送テーブル内に記憶するように構成され、そして、サービスフローのリンクティアダウン要求を受信し、サービスフローの転送リンク情報を削除するように更に構成された、記憶モジュール４。あるいは、サービスフローのリンクティアダウン要求は、シグナリング受信モジュール１によって取得されてもよい。
【００９８】
リンク設定成功メッセージを送信元ノードに通知するように構成された、シグナリング送信モジュール５。
【００９９】
送信元ノードから送信されたＡＴＭセルを受信するように構成された、セル受信モジュール６。
【０１００】
ＡＴＭセル内のヘッダ情報に従って、ローカル転送テーブル内のセル転送テーブルを検索し、ＡＴＭセルの転送リンク情報を取得するように構成された、セル検索モジュール７。
【０１０１】
ＡＴＭセルをＩＰパケット内にカプセル化するように構成された、第１のプロトコル変換モジュール８。
【０１０２】
ＩＰパケットに経路を割り当てるように構成された、ルーティングモジュール９。
【０１０３】
ＩＰパケットを送信するように構成された、パケット送信モジュール１０。
【０１０４】
送信元ノードから送信されたＩＰパケットを受信するように構成された、パケット受信モジュール１１。
【０１０５】
ＩＰパケット内のヘッダ情報に従って、ローカル転送テーブル内のパケット転送テーブルを検索し、ＩＰパケットの転送リンク情報を取得するように構成された、パケット検索モジュール１２。
【０１０６】
ＩＰパケットをＡＴＭセル内にカプセル化するように構成された、第２のプロトコル変換モジュール１３。
【０１０７】
ＡＴＭセルを集約するように構成された、集約モジュール１４。
【０１０８】
ＡＴＭセルを送信するように構成された、セル送信モジュール１５。
【０１０９】
図１１に示す装置を使用し、ＡＴＭ／ＩＰデュアルスタックハブを例に取る場合、各モジュールの相互作用プロセスは、以下を含む。
【０１１０】
シグナリング受信モジュール１は、送信元ノード（ＡＴＭ基地局、ＩＰ基地局、及びＡＴＭ／ＩＰデュアルスタック基地局コントローラのうちのいずれか１つ）から送信された、サービスフローのリンク設定要求を受信し、リンク選択モジュール３は、取得モジュール２によって取得された、ＡＴＭ／ＩＰデュアルスタック基地局コントローラに接続されたＡＴＭ及びＩＰポートの現在のデータフローの負荷に従って、より小さなリンク負荷を有するベアラネットワークを選択して、転送リンクを設定し、転送リンク情報を、記憶モジュール４のセル転送テーブル内に記憶し、シグナリング送信モジュール５を介して、送信元ノードに、サービスフローをいつでも送信するように通知する。
【０１１１】
ＡＴＭ／ＩＰデュアルスタックハブが、セル受信モジュール６を介してＡＴＭセルを受信、又はパケット受信モジュール１１を介してＩＰパケットを受信した場合、セル検索モジュール７が、記憶モジュール４のセル転送テーブルを検索して（又は、パケット検索モジュール１２が、記憶モジュール４のパケット転送テーブルを検索して）、転送リンク情報を取得する。転送リンク情報に関しては、以下のケースが存在する。
【０１１２】
ケース１：ＡＴＭセルがＩＰネットワークを介して伝送されることを、転送リンク情報が示す場合、ＡＴＭセルは、第１のプロトコル変換モジュール８内で、プロトコル変換によってＩＰパケット内にカプセル化され、ＩＰパケットは、ルーティングモジュール９によってルートを割り当てられ、パケット送信モジュール１０によって宛先ノードに送信される。
【０１１３】
ケース２：ＡＴＭセルがＡＴＭネットワークを介して伝送されることを、転送リンク情報が示す場合、ＡＴＭセルは、集約モジュール１４によってＰＶＣスイッチング又はＡＡＬ２スイッチングを受け、ＡＴＭセル内に集約され、そのＡＴＭセルは、次に、セル送信モジュール１５によって送信される。
【０１１４】
ケース１及び２において、送信元ノードがＡＴＭ基地局である場合、宛先ノードはＡＴＭ／ＩＰデュアルスタック基地局コントローラであり、送信元ノードがＡＴＭ／ＩＰデュアルスタック基地局コントローラである場合、宛先ノードはＡＴＭ基地局である。
【０１１５】
ケース３：ＩＰパケットがＡＴＭネットワークを介して伝送されることを、転送リンク情報が示す場合、ＩＰパケットは、第２のプロトコル変換モジュール１３内で、プロトコル変換によってＡＴＭセル内にカプセル化され、ＡＴＭセルは、集約モジュール１４によってＰＶＣスイッチング又はＡＡＬ２スイッチングを受け、ＡＴＭセル内に集約され、そのＡＴＭセルは、次に、セル送信モジュール１５によって送信される。
【０１１６】
ケース４：ＩＰパケットがＩＰネットワークを介して伝送されることを、転送リンク情報が示す場合、パケット受信モジュール１１によって受信されたＩＰパケットは、ルーティングモジュール９によってルートを直接割り当てられ、パケット送信モジュール１０によって送信される。
【０１１７】
同様に、ケース３及び４において、送信元ノードがＩＰ基地局である場合、宛先ノードはＡＴＭ／ＩＰデュアルスタック基地局コントローラであり、送信元ノードがＡＴＭ／ＩＰデュアルスタック基地局コントローラである場合、宛先ノードはＩＰ基地局である。
【０１１８】
上記のプロセスの間、図１１における破線及び実線は、それぞれ、ＡＴＭセル及びＩＰパケットのリンクを表す。
【０１１９】
本実施形態によって提供される装置によって、サービスフローの等化が実施され、システムの性能が向上する。
【０１２０】
上記の実施形態の説明に基づいて、本発明の実施形態の技術的解決法は、以下の利点を有する。
【０１２１】
シグナリングプレーンの許可制御を介して、データフローの設定中に、中継ノードと送信元ノードとの間、及び中継ノードと宛先ノードとの間の、現在の複数のベアラネットワークのリンク負荷情報が、中継ノード、送信元ノード、及び宛先ノードのシグナリングネゴシエーションによって取得され、より小さなリンク負荷を有するベアラネットワークが、データフローの負荷分担設定のために選択され、従って、ベアラネットワークの利用効率が向上する。図６に示すアーキテクチャにおいて、基地局（ＡＴＭ又はＩＰ基地局）と、ＡＴＭ／ＩＰデュアルスタック基地局コントローラとの間の、１つのみのＡＴＭ／ＩＰデュアルスタックハブが、ＩＰデータフローとＡＴＭデータフローとの間の変換を完了することができるため、装置の購入コスト及び保守コストが効果的に節約される。
【０１２２】
図面は好ましい実施形態の概略図であるということ、及び、内部のモジュール又はプロセスは、本発明を実施するために必ずしも必須ではないということを、当業者は理解するであろう。
【０１２３】
実施形態の装置内のモジュールは、各実施形態の説明に従って１つの装置内に分布させられてもよく、又は、実施形態の装置とは異なる１つ以上の装置内に分布させられてもよいということを、当業者は理解するであろう。実施形態のモジュールは、１つのモジュールに統合されてもよく、又は、複数のサブモジュールに更に分割されてもよい。
【０１２４】
本発明の各実施形態の順序番号は、説明のためのものにすぎず、各実施形態の優先順位を表すために使用されているのではない。
【０１２５】
特許請求の範囲における技術的解決法も、本発明の実施形態の保護範囲内に入る。
【０１２６】
上記の実施形態の説明に基づいて、当業者は、本発明がハードウェアによって、又は、ソフトウェアと、必要な汎用プラットフォームとによって実施されてもよいということを、明確に理解するであろう。そのような理解に従って、本発明の技術的解決法は、（コンパクトディスク読み取り専用メモリ（ＣＤ−ＲＯＭ）、ＵＳＢディスク、及び携帯型ハードディスクなどの）不揮発性記憶媒体内に記憶されてもよい、かつ、本発明の各実施形態の方法を（パーソナルコンピュータ、サーバ、及びネットワーク装置などの）コンピュータ装置が実行できるようにするための複数の命令を含む、ソフトウェア製品の形態で実施されてもよい。
【０１２７】
要約すると、上記は本発明の好ましい実施形態にすぎず、本発明の保護範囲は本明細書に限定されない。本発明の精神及び原理内のあらゆる修正、均等な置換、改良などは、本発明の保護範囲内に入る。
【図１】
2011521525.tif 000005
【図２】
2011521525.tif 000006
【図３】
2011521525.tif 000007
【図４】
2011521525.tif 000008
【図５】
2011521525.tif 000009
【図６】
2011521525.tif 000010
【図７】
2011521525.tif 000011
【図８】
2011521525.tif 000012
【図９】
2011521525.tif 000013
【図１０】
2011521525.tif 000014
【図１１】
2011521525.tif 000015
【手続補正書】
【提出日】平成22年12月8日(2010.12.8)
【手続補正１】
【補正対象書類名】明細書
【補正対象項目名】０００４
【補正方法】削除
【補正の内容】
【手続補正２】
【補正対象書類名】明細書
【補正対象項目名】００１７
【補正方法】削除
【補正の内容】
【手続補正３】
【補正対象書類名】明細書
【補正対象項目名】００１８
【補正方法】削除
【補正の内容】
【手続補正４】
【補正対象書類名】明細書
【補正対象項目名】００３９
【補正方法】変更
【補正の内容】
【００３９】
ステップＳ５０３はさらに以下のステップを含む。
ステップＳ５０３．１：送信元ノードから送信されたサービスフローを受信した場合、サービスフローのヘッダ情報に従って、ローカル転送テーブルを検索し、サービスフローの転送リンクの情報を取得する。
【手続補正５】
【補正対象書類名】明細書
【補正対象項目名】００４２
【補正方法】変更
【補正の内容】
【００４２】
中継ノードが、サービスフローの転送リンクの情報を取得し、ＡＴＭセルがＡＴＭネットワークを介して伝送されること、又はＩＰパケットがＩＰネットワークを介して伝送されることを情報が示した後のプロセスでは、プロトコルを変換することなく転送処理を直接行う。
【手続補正６】
【補正対象書類名】明細書
【補正対象項目名】００５７
【補正方法】変更
【補正の内容】
【００５７】
【表１】
2011521525.tif 000016
【手続補正７】
【補正対象書類名】明細書
【補正対象項目名】００５９
【補正方法】変更
【補正の内容】
【００５９】
【表２】
2011521525.tif 000017
【手続補正８】
【補正対象書類名】明細書
【補正対象項目名】００８４
【補正方法】削除
【補正の内容】
【手続補正９】
【補正対象書類名】明細書
【補正対象項目名】００９０
【補正方法】変更
【補正の内容】
【００９０】
一実施形態は、送信元ノードと、中継ノードと、宛先ノードとを含む、フローを等化するシステムを提供する。
【手続補正１０】
【補正対象書類名】明細書
【補正対象項目名】００９６
【補正方法】変更
【補正の内容】
【００９６】
代替的な態様において、中継ノードは、以下を更に含んでもよい。
【手続補正１１】
【補正対象書類名】明細書
【補正対象項目名】００９８
【補正方法】変更
【補正の内容】
【００９８】
記憶モジュール４に加え、中継ノードは、リンク設定成功メッセージを送信元ノードに通知するように構成された、シグナリング送信モジュール５を更に含む。
【手続補正１２】
【補正対象書類名】明細書
【補正対象項目名】００９９
【補正方法】変更
【補正の内容】
【００９９】
代替的な態様において、中継ノードは、以下のモジュールを更に含んでもよい。
送信元ノードから送信されたＡＴＭセルを受信するように構成された、セル受信モジュール６。
【手続補正１３】
【補正対象書類名】明細書
【補正対象項目名】０１０３
【補正方法】変更
【補正の内容】
【０１０３】
そして、ＩＰパケットを送信するように構成された、パケット送信モジュール１０。
【手続補正１４】
【補正対象書類名】明細書
【補正対象項目名】０１０４
【補正方法】変更
【補正の内容】
【０１０４】
代替的な態様において、中継ノードは、以下のモジュールを更に含んでもよい。
送信元ノードから送信されたＩＰパケットを受信するように構成された、パケット受信モジュール１１。
【手続補正１５】
【補正対象書類名】明細書
【補正対象項目名】０１０９
【補正方法】変更
【補正の内容】
【０１０９】
代替的な態様において、中継ノードは、図１１に示される上記モジュールの全てを含んでもよい。
図１１に示す装置を使用し、ＡＴＭ／ＩＰデュアルスタックハブを例に取る場合、各モジュールの相互作用プロセスは、以下を含む。
【国際調査報告】
2011521525.tif 000018
2011521525.tif 000019
2011521525.tif 000020
2011521525.tif 000021
2011521525.tif 000022
2011521525.tif 000023
2011521525.tif 000024
2011521525.tif 000025